(57)【要約】      （修正有）【課題】構造が簡素でコストを低くすることができ、小型化することができ、十分に長いディレイタイムを確保することができるようにする。【解決手段】端子部材を備えるカードを収容するハウジング１１と、ハウジングに取付けられ、カードの端子部材と接触する接続端子１３と、ハウジングに取付けられた第１接点部材２１及び第２接点部材２２を備えるカード排出動作検出スイッチと、カードを挿入方向と反対の方向に付勢する付勢部材１５を備え、カードを挿入方向に押込むプッシュ動作によってカードが挿入方向に移動して終端点まで到達すると、付勢部材の付勢力によって、カードを終端点から挿入方向と反対の方向に移動させて排出するカード案内機構１４とを有し、カード排出動作検出スイッチは、プッシュ動作によってカードが挿入方向に移動して終端点まで到達するまでの間に、カードの排出が開始されたことを検出するカード用コネクタ。【選択図】図１
2006351438.tif 000002
【特許請求の範囲】
【請求項１】
（ａ）端子部材を備えるカード（３１）を収容するハウジング（１１、４１、６１）と、
（ｂ）該ハウジング（１１、４１、６１）に取付けられ、前記カード（３１）の端子部材と接触する接続端子（１３、４３、６３）と、
（ｃ）前記ハウジング（１１、４１、６１）に取付けられた第１接点部材（２１、５１、７１）及び第２接点部材（２２、５２、７２）を備えるカード排出動作検出スイッチと、
（ｄ）前記カード（３１）を挿入方向と反対の方向に付勢する付勢部材（１５、４５、６５）を備え、前記カード（３１）を挿入方向に押込むプッシュ動作によってカード（３１）が挿入方向に移動して終端点まで到達すると、前記付勢部材（１５、４５、６５）の付勢力によって、前記カード（３１）を終端点から挿入方向と反対の方向に移動させて排出するカード案内機構とを有するカード用コネクタ（１０、４０、６０）であって、
（ｅ）前記カード排出動作検出スイッチは、前記プッシュ動作によってカード（３１）が挿入方向に移動して終端点まで到達するまでの間に、前記カードの排出が開始されたことを検出することを特徴とするカード用コネクタ（１０、４０、６０）。
【請求項２】
前記第１接点部材（２１、５１）は、ばね性を備えた導電性材料から成る板材から成形され、前記ハウジング（１１、４１）の奥部に取付けられ、前記カード（３１）の挿入方向の前面が当接することによって変位する請求項１に記載のカード用コネクタ（１０、４０）。
【請求項３】
前記第１接点部材（７１）は、ばね性を備えた導電性材料から成る板材から成形され、前記ハウジング（６１）の側部に取付けられ、前記カード（３１）の側面が当接することによって変位する請求項１に記載のカード用コネクタ（６０）。
【請求項４】
前記カード排出動作検出スイッチは、前記第１接点部材（２１、５１、７１）が第２接点部材（２２、５２、７２）と当接すること、又は、前記第１接点部材（５１、７１）が第２接点部材（５２、７２）と非当接となることによって、前記カード（３１）の排出が開始されたことを検出する請求項１〜３のいずれか１項に記載のカード用コネクタ（１０、４０、６０）。
【発明の詳細な説明】
【技術分野】
【０００１】
本発明は、カード用コネクタに関するものである。
【背景技術】
【０００２】
従来、パーソナルコンピュータ、携帯電話機、ＰＤＡ（Ｐｅｒｓｏｎａｌ  Ｄｉｇｉｔａｌ  Ａｓｓｉｓｔａｎｔ）、デジタルカメラ、ビデオカメラ、音楽プレーヤ、ゲーム機、車両用ナビゲーション装置等の電子機器においては、ＳＩＭ（Ｓｕｂｓｃｒｉｂｅｒ  Ｉｄｅｎｔｉｔｙ  Ｍｏｄｕｌｅ）カード、ＭＭＣ（Ｍｕｌｔｉ  Ｍｅｄｉａ  Ｃａｒｄ）（Ｒ）、ＳＤ（Ｓｅｃｕｒｅ  Ｄｉｇｉｔａｌ）（Ｒ）カード、ミニＳＤ（Ｒ）カード、メモリスティック（Ｒ）、スマートメディア（Ｒ）等の各種メモリカードを利用するために、カード用コネクタを備えている。
【０００３】
図１１は従来のカード用コネクタを示す図である。
【０００４】
図において、３０１はカード用コネクタの絶縁性ハウジングであり、図示されないメモリカードの先端が図における上から下に向けて挿入される。前記絶縁性ハウジング３０１には、複数の端子３０２が取付けられ、該端子３０２がメモリカードのコンタクトパッドと接触する。また、３０３はカードイジェクト機構におけるカムスライダであり、突起部がメモリカードの一部と係合し、絶縁性ハウジング３０１の側面に形成されたスライド壁３０４に沿ってスライドする。なお、前記カムスライダ３０３は、コイルスプリング３０５によって、図における上方に向けて付勢されている。
【０００５】
さらに、絶縁性ハウジング３０１の奥側（図における下側）の壁には、メモリカードの有無を検知するための検知スイッチが配設されている。該検知スイッチは、弾性を備える可動接点部材３０６と固定された固定接点部材３０７とを有し、図に示されるように、絶縁性ハウジング３０１にメモリカードが挿入されていない状態では、可動接点部材３０６と固定接点部材３０７とが接触し、ＯＮとなっている。そして、絶縁性ハウジング３０１にメモリカードが挿入されると、該メモリカードの先端部によって押されることにより、可動接点部材３０６が変位して固定接点部材３０７と非接触となり、検知スイッチがＯＦＦとなる。これにより、メモリカードが挿入されたことが検出される。
【０００６】
ところで、電子機器に装填（てん）されたメモリカードを引抜く動作を早い段階で検出するためのディレイスイッチが提案されている（例えば、特許文献１参照。）。例えば、電子機器の演算手段がメモリカードにアクセスしながら処理を実行している最中にメモリカードを引抜かれると、演算手段とメモリカードとを接続するデータバスがデータの転送中に切断されてしまうので、データが破壊されたり、演算手段が動作を停止したまま復帰しなくなったりしてしまうことがある。前記ディレイスイッチは、メモリカードを引抜く動作を早い段階で検出することによって、カード用コネクタの端子とメモリカードのコンタクトパッドとの接触が切断されるまでに、演算手段とメモリカードとを接続するデータバスを安全に切断するための時間を稼ぐスイッチである。
【特許文献１】特開２００３−２０３２０９号公報
【発明の開示】
【発明が解決しようとする課題】
【０００７】
しかしながら、前記従来のカード用コネクタは、前記特許文献１に記載されているようなディレイスイッチを採用することができなかった。前記特許文献１に記載されているようなディレイスイッチは、クレジットカードのようなＩＣカードを使用する電子機器を想定したものであり、利用者の手で操作する排出レバーを必要とするものである。そのため、図１１に示されるような比較的小型のメモリカードを利用するための、いわゆる、プッシュインプッシュアウトタイプ、又は、プッシュ／プッシュタイプのカード用コネクタは、前記特許文献１に記載されているようなディレイスイッチを採用することができない。
【０００８】
もっとも、図１１に示されるようなカード用コネクタにおいて、メモリカードの有無を検知するための検知スイッチを、メモリカードを引抜く動作を検出するディレイスイッチとして利用することも考えられる。しかし、メモリカードを排出する際に、可動接点部材３０６と固定接点部材３０７とが接触状態となってから、端子３０２とメモリカードのコンタクトパッドとの接触が切断されるまでの遅れ時間、すなわち、ディレイタイムを十分に長く取ることは困難である。
【０００９】
本発明は、前記従来のカード用コネクタの問題点を解決して、カードを排出する際のプッシュ動作における往復の行程をディレイタイムに含むカード排出動作検出スイッチを有することによって、構造が簡素でコストを低くすることができ、小型化することができ、十分に長いディレイタイムを確保することができるカード用コネクタを提供することを目的とする。
【課題を解決するための手段】
【００１０】
そのために、本発明のカード用コネクタにおいては、端子部材を備えるカードを収容するハウジングと、該ハウジングに取付けられ、前記カードの端子部材と接触する接続端子と、前記ハウジングに取付けられた第１接点部材及び第２接点部材を備えるカード排出動作検出スイッチと、前記カードを挿入方向と反対の方向に付勢する付勢部材を備え、前記カードを挿入方向に押込むプッシュ動作によってカードが挿入方向に移動して終端点まで到達すると、前記付勢部材の付勢力によって、前記カードを終端点から挿入方向と反対の方向に移動させて排出するカード案内機構とを有するカード用コネクタであって、前記カード排出動作検出スイッチは、前記プッシュ動作によってカードが挿入方向に移動して終端点まで到達するまでの間に、前記カードの排出が開始されたことを検出する。
【００１１】
本発明の他のカード用コネクタにおいては、さらに、前記第１接点部材は、ばね性を備えた導電性材料から成る板材から成形され、前記ハウジングの奥部に取付けられ、前記カードの挿入方向の前面が当接することによって変位する。
【００１２】
本発明の更に他のカード用コネクタにおいては、さらに、前記第１接点部材は、ばね性を備えた導電性材料から成る板材から成形され、前記ハウジングの側部に取付けられ、前記カードの側面が当接することによって変位する。
【００１３】
本発明の更に他のカード用コネクタにおいては、さらに、前記カード排出動作検出スイッチは、前記第１接点部材が第２接点部材と当接すること、又は、前記第１接点部材が第２接点部材と非当接となることによって、前記カードの排出が開始されたことを検出する。
【発明の効果】
【００１４】
本発明によれば、カード用コネクタは、カードを排出する際のプッシュ動作における往復の行程をディレイタイムに含むカード排出動作検出スイッチを有する。そのため、構造が簡素でコストを低くすることができ、小型化することができ、十分に長いディレイタイムを確保することができる。
【発明を実施するための最良の形態】
【００１５】
以下、本発明の実施の形態について図面を参照しながら詳細に説明する。
【００１６】
図１は本発明の第１の実施の形態におけるカード用コネクタのシェルを取除いた状態を示す平面図、図２は本発明の第１の実施の形態におけるカード用コネクタを示す斜視図、図３は本発明の第１の実施の形態におけるカード用コネクタのシェルを取除いた状態を示す斜視図である。
【００１７】
図１〜３において、１０は本実施の形態におけるカード用コネクタであり、図示されない電子機器に取付けられる。そして、前記カード用コネクタ１０の内部には後述されるカード３１が挿入され、前記カード用コネクタ１０を介して、前記電子機器にカード３１が装着される。なお、前記電子機器は、例えば、パーソナルコンピュータ、携帯電話機、ＰＤＡ、デジタルカメラ、ビデオカメラ、音楽プレーヤ、ゲーム機、車両用ナビゲーション装置等であるが、いかなる種類の機器であってもよい。
【００１８】
また、カード３１は、例えば、ＳＩＭカード、ＭＭＣ（Ｒ）、ＳＤ（Ｒ）カード、ミニＳＤ（Ｒ）カード、メモリスティック（Ｒ）、スマートメディア（Ｒ）、Ｔ−Ｆｌａｓｈ、マイクロＳＤ（Ｒ）カード等のＩＣカードであり、いかなる種類のカードであってもよいが、本実施の形態においては、ミニＳＤ（Ｒ）カードであるものとして説明する。また、本実施の形態において、カード用コネクタ１０の各部の構成及び動作を説明するために使用される上、下、左、右、前、後等の方向を示す表現は、絶対的なものでなく相対的なものであり、カード用コネクタ１０又はその部品が図に示される姿勢である場合に適切であるが、カード用コネクタ１０又はその部品の姿勢が変化した場合には、姿勢の変化に応じて変更して解釈されるべきものである。
【００１９】
ここで、前記カード用コネクタ１０は、図２に示されるように、合成樹脂等の絶縁材によって一体的に成形されたカード３１を収容するハウジング１１と、金属等の導電性材料から成る板材に打抜き、折曲げ等の加工を施すことによって成形され、ハウジング１１の上側に取付けられたシェル１２とを有する。前記カード用コネクタ１０は、概略、扁（へん）平な直方体形状を備え、前記電子機器に取付けられ、前方（図２における左下方）からカード３１が挿入される。
【００２０】
また、図１及び３は、説明のためにシェル１２を除去した状態のカード用コネクタ１０を示す図である。図１及び３に示されるように、ハウジング１１は、カード３１の挿入方向に関して手前側となる前縁側（図１における上側、図３における左下側）が略Ｕ字状に切取られた形状を備える底壁部１１ａ、及び、該底壁部１１ａの奥部において奥側の縁に沿って延在し、底壁部１１ａから立設する奥壁部１１ｂを有する。ここで、底壁部１１ａの上面には、前後方向に延在するように形成された端子装填溝１１ｅが複数形成され、各端子装填溝１１ｅに接続端子としての端子１３が挿入されて取付けられている。そして、該端子１３は、その根本部が前記端子装填溝１１ｅ内における底壁部１１ａの手前側の縁に近い部分に取付けられ、その先端部が奥壁部１１ｂに向けて斜め上方に延在して底壁部１１ａの上面より上方に突出している。前記端子１３の先端部は、接触部として機能し、カード３１の下面に配設された端子部材としてのコンタクトパッドに接触して電気的に接続される。また、前記端子１３の根本部から延在するソルダーテール部１３ａは、底壁部１１ａの手前側の縁から前方に向けて突出し、前記電子機器における配線基板等に形成された信号線、コンタクトパッド、端子等、すなわち、相手側端子部材に、はんだ付け等によって電気的に接続される。
【００２１】
そして、ハウジング１１は、底壁部１１ａの一方の側縁に沿って前後方向に延在する断面Ｌ字状の側壁部としての第１側壁部１１ｃ、及び、底壁部１１ａの他方の側縁に沿って前後方向に延在する側壁部としての第２側壁部１１ｄを有する。前記第１側壁部１１ｃには、カード用コネクタ１０内に挿入されたカード３１を案内するためのカード案内機構のスライド部材１４が前後方向にスライド可能に取付けられている。なお、スライド部材１４は、内側の側面から突出するように形成された第１係合部１４ａ及び第２係合部１４ｂを備える。第１係合部１４ａ及び第２係合部１４ｂは、カード３１の後述される係合凸部３２及び係合凹部３３と各々係合する。
【００２２】
ここで、前記カード用コネクタ１０は、カード用コネクタ１０内にカード３１を挿入する際にも、カード用コネクタ１０内からカード３１を取出す際にも、カード３１を押込む動作を必要とする、いわゆる、プッシュインプッシュアウトタイプ、又は、プッシュ／プッシュタイプと通称されるものであるとする。そして、前記第１側壁部１１ｃには、プッシュ／プッシュの動作を行うためのカード案内機構におけるカム装置１７が取付けられている。本実施の形態においては、該カム装置１７がスライド部材１４と一体的に形成されている。そして、前記カム装置１７は、例えば、カム溝を備え、該カム溝と係合するカムピンと協働することによって、カード３１とともに移動するスライド部材１４にプッシュ／プッシュの動作を行わせるようになっている。
【００２３】
なお、前記カム装置１７のようなプッシュ／プッシュの動作を行うための機構は従来周知であるので、その説明を省略する。
【００２４】
さらに、前記第１側壁部１１ｃには、スライド部材１４をカード３１の挿入方向と反対の方向、すなわち、前方に向けて付勢するためのカード案内機構における付勢部材１５が取付けられている。なお、該付勢部材１５はコイルスプリングから成り、その両端は、奥壁部１１ｂの係止部１１ｆ及びスライド部材１４の係止部１４ｃに当接する。そして、前記カード案内機構は、前記付勢部材１５を備え、カード３１を挿入方向に押込むプッシュ動作によってカード３１が挿入方向に移動して終端点まで到達すると、前記付勢部材１５の付勢力によって、前記カード３１を終端点から挿入方向と反対の方向に移動させて排出する。なお、前記カード案内機構は、第１側壁部１１ｃでなく、第２側壁部１１ｄに配設されてもよい。
【００２５】
また、前記ハウジング１１の奥部、具体的には奥壁部１１ｂに、カード排出動作検出スイッチとしてのディレイスイッチを形成する第１接点部材２１及び第２接点部材２２が取付けられている。前記ディレイスイッチは、カード３１が移動することによって作動し、第１接点部材２１と第２接点部材２２とが相互に接離することによって、導通、すなわち、ＯＮ及び非導通、すなわち、ＯＦＦの状態となる。ここで、前記ディレイスイッチは、カード案内機構にカード用コネクタ１０内に挿入されたカード３１を押出して排出させる動作を行わせるためのプッシュ動作を検出するスイッチである。
【００２６】
前記プッシュ動作において、カード案内機構のスライド部材１４は、利用者の手指等によってカード３１に付与される力を受けることにより、カード３１とともに移動し、カード用コネクタ１０内でカード３１をロックした状態で保持するロック位置から奥壁部１１ｂに向けて移動させられ、最も前進した位置である終端点に到達してフルストローク状態となる。続いて、利用者によってカード３１に付与される力が解除されると、スライド部材１４及びカード３１は、付勢部材１５の反発力を受けて奥壁部１１ｂから離脱する向きに移動させられ、ロック位置に復帰する。すなわち、該ロック位置から終端点までの行程を往復する。そして、スライド部材１４及びカード３１は、ロック位置を通過し、カード３１の挿入方向と反対の方向に向けて更に移動する。
【００２７】
この場合、前記ディレイスイッチは、スライド部材１４及びカード３１がロック位置から終端点まで移動する往きの行程の途中で非導通状態から導通状態に変化し、これにより、前記プッシュ動作が開始されたことを検出する。一方、カード３１のコンタクトパッドが端子１３の先端部と実際に非接触となるのは、終端点からの戻りの行程においてスライド部材１４がロック位置に到達して以降である。すなわち、往きの行程においてスライド部材１４及びカード３１がディレイスイッチが導通状態に変化する地点から終端点に到達するまでの時間、及び、戻りの行程においてスライド部材１４及びカード３１が終端点からロック位置に到達するまでの時間を、ディレイタイムに含めることができる。これにより、遅れ時間、すなわち、ディレイタイムを十分に長くすることができる。なお、ディレイタイムとは、ディレイスイッチがプッシュ動作が開始されたことを検出してから、カード３１のコンタクトパッドが端子１３の先端部と非接触となるまでの時間を言う。
【００２８】
そして、前記第１接点部材２１は、奥壁部１１ｂに取付けられた根本部２１ａ、及び、該根本部２１ａから横方（図１における右方）に向けて延在する細長い板状のカンチレバーのような形状である本体部２１ｃを有する。なお、前記第１接点部材２１は、金属等のばね性を備えた導電性材料から成る板材に打抜き、折曲げ等の加工を施すことによって成形された部材であり、前記根本部２１ａは本体部２１ｃに対して所定の角度を形成するように曲げられている。そして、第１接点部材２１の根本部２１ａは奥壁部１１ｂの側面とほぼ平行となり、本体部２１ｃは、カード３１がカード用コネクタ１０に挿入されていない状態においては、奥壁部１１ｂの側面に対して傾斜し、カード３１の挿入方向に関して手前側に向けて突出するように配設されている。
【００２９】
さらに、前記根本部２１ａは、その下端にソルダーテール部２１ｂを備える。該ソルダーテール部２１ｂは、前記電子機器における配線基板等に形成された信号線、コンタクトパッド、端子等、すなわち、相手側端子部材にはんだ付けされて電気的に接続される。一方、本体部２１ｃの先端には、第１当接部２１ｄが接続されている。該第１当接部２１ｄは、その奥壁部１１ｂ側の面が第２接点部材２２に当接する当接面として機能する。
【００３０】
また、前記第２接点部材２２は、奥壁部１１ｂに取付けられた根本部２２ａ、及び、該根本部２２ａから横方（図１における右方）に向けて延在する細長い板状のカンチレバーのような形状である本体部２２ｃを有する。この場合、第２接点部材２２は、根本部２２ａと第２接点部材２２との間の角度が鋭角となり、概略Ｖ字状の形状を有する。なお、前記第２接点部材２２は、金属等のばね性を備えた導電性材料から成る板材に打抜き、折曲げ等の加工を施すことによって成形された部材である。そして、第２接点部材２２の根本部２２ａは奥壁部１１ｂの側面とほぼ平行となり、本体部２２ｃは、カード３１がカード用コネクタ１０に挿入されていない状態においては、奥壁部１１ｂの側面に対して傾斜し、カード３１の挿入方向に関して手前側に向けて突出するように配設されている。
【００３１】
さらに、前記根本部２２ａは、その下端にソルダーテール部２２ｂを備える。該ソルダーテール部２２ｂは、前記電子機器における相手側端子部材にはんだ付けされて電気的に接続される。一方、本体部２２ｃは、第１接点部材２１の本体部２１ｃよりも奥壁部１１ｂ寄りの位置に配設されている。そして、本体部２２ｃの先端には、第２当接部２２ｄが接続されている。該第２当接部２２ｄは、カード３１の挿入方向に関して手前側の面が第１接点部材２１に当接する当接面として機能する。
【００３２】
次に、前記構成のカード用コネクタ１０の動作について説明する。
【００３３】
図４は本発明の第１の実施の形態におけるカード用コネクタにカードを挿入する途中の状態を示す平面図、図５は本発明の第１の実施の形態におけるカード用コネクタにカードを挿入しフルストロークとなった状態を示す平面図、図６は本発明の第１の実施の形態におけるカード用コネクタにカードを挿入しロックした状態を示す平面図、図７は本発明の第１の実施の形態におけるカード用コネクタにカードを排出する動作でフルストロークとなった状態を示す平面図、図８は本発明の第１の実施の形態におけるカード用コネクタのディレイスイッチの信号波形を示す図である。
【００３４】
まず、カード３１をカード用コネクタ１０に挿入して、該カード用コネクタ１０が取付けられた電子機器にカード３１を装着する動作について説明する。なお、図４〜７は、図１と同様に、説明のためにシェル１２を除去した状態を示している。
【００３５】
この場合、利用者が手指等によってカード３１をカード用コネクタ１０の前方から途中まで挿入すると、図４に示されるようになる。この状態において、カード３１の下面に配設された図示されないコンタクトパッドは、端子１３の位置にまで到達していない。また、カード３１の一方の側辺に形成された係合凸部３２及び係合凹部３３は、カード案内機構のスライド部材１４の第１係合部１４ａ及び第２係合部１４ｂと係合していない。さらに、第１接点部材２１と第２接点部材２２とが当接しておらず、ディレイスイッチはＯＦＦの状態になっている。
【００３６】
続いて、利用者がカード３１をプッシュして更に押込むと、カード３１の係合凸部３２及び係合凹部３３がスライド部材１４の第１係合部１４ａ及び第２係合部１４ｂと係合し、カード３１は、スライド部材１４とともに、奥壁部１１ｂに向けて移動する。この際、スライド部材１４がコイルスプリングから成る付勢部材１５を圧縮するので、スライド部材１４及びカード３１は、付勢部材１５の反発力を受けるが、該反発力が利用者の手指等が発揮する押込力よりも小さいので、前記反発力に抗して移動する。
【００３７】
そして、スライド部材１４及びカード３１は、図５に示されるように、最も前進した位置である終端点に到達してフルストローク状態となる。なお、カード３１は、終端点に到達するまでの行程の途中において、その挿入方向の前面が第１接点部材２１に当接し、該第１接点部材２１を奥壁部１１ｂの方向に変位させる。そして、カード３１が奥壁部１１ｂに向けて移動するにつれて、第１接点部材２１は、大きく変位して第２接点部材２２に当接し、該第２接点部材２２を奥壁部１１ｂの方向に変位させる。最終的に、フルストローク状態となると、第１接点部材２１及び第２接点部材２２は、カード３１によって奥壁部１１ｂの側面に押付けられた状態となる。
【００３８】
続いて、利用者がカード３１をプッシュする動作を止め、カード３１に対する押込力を解除すると、付勢部材１５の反発力によって、スライド部材１４及びカード３１は奥壁部１１ｂから離脱する向きに移動させられる。そして、スライド部材１４及びカード３１は、図６に示されるように、カード用コネクタ１０内でカード３１をロックした状態で保持するロック位置で停止する。これは、カム装置１７によって、スライド部材１４の動きが規制され、前記ロック位置で停止させられるためである。
【００３９】
そして、カード３１は、ロック位置に保持されることによって、カード用コネクタ１０が取付けられた電子機器の演算手段等との間でデータの送受信を行うことができる状態となる。なお、カード３１がロック位置に保持されている場合、カード３１のコンタクトパッドは、端子１３の先端部と接触して導通している。また、第１接点部材２１と第２接点部材２２とが当接しておらず、ディレイスイッチはＯＦＦの状態になっている。
【００４０】
次に、カード３１をカード用コネクタ１０から排出させて取出す動作について説明する。
【００４１】
この場合、利用者が手指等によってカード３１をプッシュして押込むと、スライド部材１４及びカード３１は、ロック位置から奥壁部１１ｂに向けて移動させられる。すると、カード３１の挿入方向の前面が第１接点部材２１に当接し、該第１接点部材２１を奥壁部１１ｂの方向に変位させて第２接点部材２２に当接させる。これにより、ディレイスイッチは、非導通状態から導通状態に、すなわち、ＯＦＦからＯＮに変化し、カード３１を排出させるプッシュ動作が開始されたことを検出する。
【００４２】
続いて、利用者がカード３１をプッシュして更に押込むと、スライド部材１４及びカード３１は、図７に示されるように、最も前進した位置である終端点に到達してフルストローク状態となる。この間、第１接点部材２１と第２接点部材２２とが当接した状態を維持するので、ディレイスイッチはＯＮの状態を維持している。
【００４３】
続いて、利用者がカード３１をプッシュする動作を止め、カード３１に対する押込力を解除すると、付勢部材１５の反発力によって、スライド部材１４及びカード３１は奥壁部１１ｂから離脱する向きに移動させられ、ロック位置に復帰する。この場合、カム装置１７によって、スライド部材１４の動きが規制されず、前記ロック位置で停止させられないので、スライド部材１４及びカード３１は、前記ロック位置を通過し、カード３１の挿入方向と反対の方向に更に移動する。そして、カード３１の係合凸部３２及び係合凹部３３とスライド部材１４の第１係合部１４ａ及び第２係合部１４ｂとの係合が解除され、スライド部材１４及びカード３１は、図４に示されるような状態に復帰する。なお、終端点からロック位置に復帰するまでの途中において、第１接点部材２１及び第２接点部材２２は、それ自体のばね性によって元の姿勢に復元するので、第１接点部材２１と第２接点部材２２とは互いに非当接となる。そのため、ディレイスイッチはＯＮからＯＦＦに変化する。
【００４４】
このように、カード３１をカード用コネクタ１０から排出させて取出す場合、ディレイスイッチは、スライド部材１４及びカード３１がロック位置から終端点まで移動する往きの行程の途中でＯＦＦからＯＮに変化して、プッシュ動作が開始されたことを検出するようになっている。そして、カード３１のコンタクトパッドが端子１３と実際に非接触となるのは、終端点からの戻りの行程においてスライド部材１４がロック位置に到達して以降である。そのため、往きの行程においてスライド部材１４及びカード３１がディレイスイッチが導通状態に変化する地点から終端点に到達するまでの時間、及び、戻りの行程においてスライド部材１４及びカード３１が終端点からロック位置に到達するまでの時間を、ディレイタイムに含めることができる。これにより、ディレイスイッチがプッシュ動作が開始されたことを検出してから実際にカード３１のコンタクトパッドが端子１３と非接触となるまでのディレイタイムを十分に長くすることができる。
【００４５】
なお、ディレイタイムを長くするためには、ディレイスイッチがＯＮに変化する地点をできる限りロック位置に近付けることが望ましい。例えば、スライド部材１４及びカード３１がロック位置から終端点まで移動する距離、すなわち、ロック位置から終端点までの行程長が０．８〔ｍｍ〕であるとすると、ディレイスイッチがＯＮに変化する地点をロック位置から０．２〔ｍｍ〕程度の位置とすることが望ましい。
【００４６】
図８には、本発明の発明者が実際に制作したカード用コネクタ１０を使用して行った実験の結果が示されている。図８において、横軸には時間（単位：秒）を採ってあり、縦軸には信号の値を採ってある。そして、Ａはディレイスイッチの信号であり、Ｂはカードのコンタクトパッドとカード用コネクタ１０の端子１３との接触状態を示す端子信号である。図８から、ディレイスイッチがＯＮになってから端子信号がＯＦＦになるまでの時間、すなわち、ディレイスイッチがプッシュ動作が開始されたことを検出してから実際にカード３１のコンタクトパッドが端子１３と非接触となるまでのディレイタイムが０．３３秒であることが分かる。
【００４７】
このように、本実施の形態において、ディレイスイッチは、カード３１の移動によって変位する第１接点部材２１と第２接点部材２２とを有し、カード３１を排出させる際のプッシュ動作における往復の行程において、第１接点部材２１と第２接点部材２２とが当接してＯＮになるようになっている。そのため、カード３１を排出する際のプッシュ動作における往復の行程をディレイタイムに含むので、十分に長いディレイタイムを確保することができる。したがって、カード３１をカード用コネクタ１０から排出させて取出す場合、カード用コネクタ１０が取付けられた電子機器は、ディレイタイムの間に演算手段等とカード３１とを接続する回路を安全に遮断することができる。
【００４８】
また、ディレイスイッチは、金属等のばね性を備えた板材を加工した第１接点部材２１と第２接点部材２２とから成るので、構造が簡素でコストを低くすることができ、小型化することができる。さらに、前記ディレイスイッチを有するカード用コネクタ１０も、構造を簡素化してコストを低くすることができ、小型化することができる。
【００４９】
さらに、カード３１を排出する際のプッシュ動作における往きの行程は、利用者が手指等によって付勢部材１５の反発力に抗して行うカード３１を押込む動作によるものなので、カード３１の移動速度が低くなる。そのため、前記往きの行程を含むディレイタイムを十分に長くすることができる。
【００５０】
次に、本発明の第２の実施の形態について説明する。なお、第１の実施の形態と同じ構造を有するものについては、同じ符号を付与することによってその説明を省略する。また、前記第１の実施の形態と同じ動作及び同じ効果についても、その説明を省略する。
【００５１】
図９は本発明の第２の実施の形態におけるカード用コネクタのシェルを取除いた状態を示す平面図である。
【００５２】
図９において、４０は本実施の形態におけるカード用コネクタであり、前記第１の実施の形態におけるカード用コネクタ１０と同様に、電子機器に取付けられる。また、図９は、説明のためにシェルを除去した状態のカード用コネクタ４０を示す図である。該カード用コネクタ４０は、合成樹脂等の絶縁材によって一体的に成形されたハウジング４１を有し、前方（図９における上方）から図示されないカードが挿入される。なお、該カードは、前記第１の実施の形態におけるカード３１とは異なる種類のものである。
【００５３】
そして、ハウジング４１は、前記第１の実施の形態におけるハウジング１１と同様に、底壁部４１ａ、及び、該底壁部４１ａの奥部において奥側の縁に沿って延在し、底壁部４１ａから立設する奥壁部４１ｂを有する。ここで、底壁部４１ａの上面には、前後方向に延在するように形成された端子装填溝が複数形成され、各端子装填溝に接続端子としての端子４３が挿入されて取付けられている。該端子４３は前記第１の実施の形態における端子１３と同様のものであり、その根本部が前記端子装填溝内における底壁部４１ａの手前側の縁に近い部分に取付けられ、その先端部が奥壁部４１ｂに向けて斜め上方に延在して底壁部４１ａの上面より上方に突出している。前記端子４３の先端部は、接触部として機能し、カードの下面に配設された端子部材としてのコンタクトパッドに接触して電気的に接続される。
【００５４】
また、ハウジング４１は、底壁部４１ａの一方の側縁に沿って前後方向に延在する第１側壁部４１ｃ、及び、底壁部４１ａの他方の側縁に沿って前後方向に延在する側壁部としての第２側壁部４１ｄを有する。本実施の形態においては、前記第２側壁部４１ｄに、カード用コネクタ４０内に挿入されたカードを案内するためのカード案内機構のスライド部材４４が前後方向にスライド可能に取付けられている。なお、スライド部材４４は、内側の側面から突出するように形成され、カードと係合する係合部を備える。
【００５５】
本実施の形態におけるカード用コネクタ４０も、前記第１の実施の形態におけるカード用コネクタ１０と同様に、カード用コネクタ４０内にカードを挿入する際にも、カード用コネクタ４０内からカードを取出す際にも、カードを押込む動作を必要とする、いわゆる、プッシュインプッシュアウトタイプ、又は、プッシュ／プッシュタイプと通称されるものであるとする。そして、前記第２側壁部４１ｄには、プッシュ／プッシュの動作を行うためのカード案内機構におけるカム装置４７が取付けられている。該カム装置４７は、前記第１の実施の形態におけるカム装置１７と同様のものであるので、その説明を省略する。
【００５６】
さらに、前記第２側壁部４１ｄには、スライド部材４４を前方に向けて付勢するためのカード案内機構における付勢部材４５が取付けられている。なお、該付勢部材４５は、前記第１の実施の形態における付勢部材１５と同様のものであるので、その説明を省略する。
【００５７】
そして、前記奥壁部４１ｂには、カード排出動作検出スイッチとしてのディレイスイッチを形成する第１接点部材５１及び第２接点部材５２が取付けられている。本実施の形態におけるディレイスイッチは、前記第１の実施の形態におけるディレイスイッチと同様に、カードが移動することによって作動し、第１接点部材５１と第２接点部材５２とが相互に接離することによって、導通、すなわち、ＯＮ及び非導通、すなわち、ＯＦＦの状態となる。
【００５８】
ここで、前記第１接点部材５１は、奥壁部４１ｂに取付けられた根本部５１ａ、及び、該根本部５１ａから横方（図９における右方）に向けて延在する細長い板状のカンチレバーのような形状である本体部５１ｃを有する。なお、前記第１接点部材５１は、金属等のばね性を備えた導電性材料から成る板材に打抜き、折曲げ等の加工を施すことによって成形された部材であり、前記根本部５１ａは本体部５１ｃに対して所定の角度を形成するように曲げられている。そして、第１接点部材５１の根本部５１ａは奥壁部４１ｂの側面とほぼ平行となり、本体部５１ｃは、カードがカード用コネクタ４０に挿入されていない状態においては、奥壁部４１ｂの側面に対して傾斜し、カードの挿入方向に関して手前側に向けて突出するように配設されている。
【００５９】
さらに、前記根本部５１ａは、その下端にソルダーテール部５１ｂを備える。該ソルダーテール部５１ｂは、前記電子機器における配線基板等に形成された信号線、コンタクトパッド、端子等、すなわち、相手側端子部材にはんだ付けされて電気的に接続される。一方、本体部５１ｃの先端には、第１当接部５１ｄが接続されている。該第１当接部５１ｄは、その下側の面が第２接点部材５２に当接する当接面として機能する。
【００６０】
また、前記第２接点部材５２は、奥壁部４１ｂに取付けられた根本部５２ａ、及び、該根本部５２ａから横方（図９における右方）に向けて延在する細長い板状のカンチレバーのような形状である本体部５２ｃを有する。なお、前記第２接点部材５２は、金属等のばね性を備えた導電性材料から成る板材に打抜き、折曲げ等の加工を施すことによって成形された部材である。そして、第２接点部材５２の根本部５２ａは奥壁部４１ｂの側面とほぼ平行となり、本体部５２ｃは、底壁部４１ａの上面とほぼ平行となっている。
【００６１】
さらに、前記根本部５２ａは、その下端にソルダーテール部５２ｂを備える。該ソルダーテール部５２ｂは、前記電子機器における相手側端子部材にはんだ付けされて電気的に接続される。一方、本体部５２ｃは、第１接点部材５１の本体部５１ｃよりも下方に配設されている。そして、本体部５２ｃの先端には、第２当接部５２ｄが接続されている。該第２当接部５２ｄは、上側の面が第１接点部材５１に当接する当接面として機能する。
【００６２】
次に、本実施の形態におけるカード用コネクタ４０の動作について説明する。ここでは、カードをカード用コネクタ４０から排出させて取出す動作について説明する。
【００６３】
この場合、図示されないカードは、カード用コネクタ４０内において、ロック位置に保持されているものとする。なお、カードがロック位置に保持されている場合、カードのコンタクトパッドは、端子４３と接触して導通している。また、第１接点部材５１と第２接点部材５２とは、図９に示されるように、当接しておらず、ディレイスイッチはＯＦＦの状態になっている。
【００６４】
そして、利用者が手指等によってカードをプッシュして押込むと、スライド部材４４及びカードは、ロック位置から奥壁部４１ｂに向けて移動させられる。すると、カードの挿入方向の前面が第１接点部材５１に当接し、該第１接点部材５１を奥壁部４１ｂの方向に変位させて第２接点部材５２に当接させる。この場合、第１当接部５１ｄの下側の面が第２当接部５２ｄの上側の面に当接する。これにより、ディレイスイッチは、非導通状態から導通状態に、すなわち、ＯＦＦからＯＮに変化し、カードを排出させるプッシュ動作が開始されたことを検出する。
【００６５】
続いて、利用者がカードをプッシュして更に押込むと、スライド部材４４及びカードは、最も前進した位置である終端点に到達してフルストローク状態となる。この間、第１接点部材５１と第２接点部材５２とが当接した状態を維持するので、ディレイスイッチはＯＮの状態を維持している。
【００６６】
続いて、利用者がカードをプッシュする動作を止め、カードに対する押込力を解除すると、付勢部材４５の反発力によって、スライド部材４４及びカードは奥壁部４１ｂから離脱する向きに移動させられ、ロック位置に復帰する。この場合、カム装置４７によってスライド部材４４の動きが規制されず、前記ロック位置で停止させられないので、スライド部材４４及びカードは、前記ロック位置を通過し、カードの挿入方向と反対の方向に更に移動する。そして、カードとスライド部材４４との係合が解除され、カードは排出される。なお、終端点からロック位置に復帰するまでの途中において、第１接点部材５１は、それ自体のばね性によって元の姿勢に復元するので、第１接点部材５１と第２接点部材５２とは互いに非当接となる。そのため、ディレイスイッチはＯＮからＯＦＦに変化する。
【００６７】
このように、本実施の形態において、ディレイスイッチは、カードの移動によって変位する第１接点部材５１と第２接点部材５２とを有し、カードを排出させる際のプッシュ動作における往復の行程において、第１接点部材５１と第２接点部材５２とが当接してＯＮになるようになっている。そのため、カードを排出する際のプッシュ動作における往復の行程をディレイタイムに含むので、十分に長いディレイタイムを確保することができる。したがって、カードをカード用コネクタ４０から排出させて取出す場合、カード用コネクタ４０が取付けられた電子機器は、ディレイタイムの間に演算手段等とカードとを接続する回路を安全に遮断することができる。
【００６８】
なお、本実施の形態においては、ディレイスイッチが第１接点部材５１と第２接点部材５２とが当接することによって、カードの排出が開始されたことを検出するように構成されている場合について説明したが、前記ディレイスイッチは、第１接点部材５１と第２接点部材５２とが非当接となることによって、カードの排出が開始されたことを検出するように構成することもできる。例えば、第２接点部材５２の第２当接部５２ｄの位置を図９における上方にずらすことによって、カードがロック位置に保持されている場合に第１接点部材５１と第２接点部材５２とが当接し、カードをプッシュして押込み、カードの挿入方向の前面が当接して第１接点部材５１が変位すると、第１接点部材５１と第２接点部材５２とが非当接となるようにすることができる。
【００６９】
その他の点の効果については、前記第１の実施の形態と同様であるので、説明を省略する。
【００７０】
次に、本発明の第３の実施の形態について説明する。なお、第１及び第２の実施の形態と同じ構造を有するものについては、同じ符号を付与することによってその説明を省略する。また、前記第１及び第２の実施の形態と同じ動作及び同じ効果についても、その説明を省略する。
【００７１】
図１０は本発明の第３の実施の形態におけるカード用コネクタのシェルを取除いた状態を示す平面図である。
【００７２】
図１０において、６０は本実施の形態におけるカード用コネクタであり、前記第１及び第２の実施の形態におけるカード用コネクタ１０及び４０と同様に、電子機器に取付けられる。また、図１０は、説明のためにシェルを除去した状態のカード用コネクタ６０を示す図である。該カード用コネクタ６０は、合成樹脂等の絶縁材によって一体的に成形されたハウジング６１を有し、前方（図１０における上方）から図示されないカードが挿入される。なお、該カードは、前記第１の実施の形態におけるカード３１及び第２の実施の形態におけるカードとは異なる種類のものである。
【００７３】
そして、ハウジング６１は、前記第１及び第２の実施の形態におけるハウジング１１及び４１と同様に、底壁部６１ａ、及び、該底壁部６１ａの奥部において奥側の縁に沿って延在し、底壁部６１ａから立設する奥壁部６１ｂを有する。ここで、底壁部６１ａの上面には、前後方向に延在するように形成された端子装填溝が複数形成され、各端子装填溝に接続端子としての端子６３が挿入されて取付けられている。該端子６３は前記第１及び第２の実施の形態における端子１３及び４３と同様のものであり、その根本部が前記端子装填溝内における底壁部６１ａの手前側の縁に近い部分に取付けられ、その先端部が奥壁部６１ｂに向けて斜め上方に延在して底壁部６１ａの上面より上方に突出している。前記端子６３の先端部は、接触部として機能し、カードの下面に配設された端子部材としてのコンタクトパッドに接触して電気的に接続される。
【００７４】
また、ハウジング６１は、底壁部６１ａの一方の側縁に沿って前後方向に延在する第１側壁部６１ｃ、及び、底壁部６１ａの他方の側縁に沿って前後方向に延在する側壁部としての第２側壁部６１ｄを有する。本実施の形態においては、前記第２側壁部６１ｄに、カード用コネクタ６０内に挿入されたカードを案内するためのカード案内機構のスライド部材６４が前後方向にスライド可能に取付けられている。なお、スライド部材６４は、内側の側面から突出するように形成され、カードと係合する係合部を備える。
【００７５】
本実施の形態におけるカード用コネクタ６０も、前記第１及び第２の実施の形態におけるカード用コネクタ１０及び４０と同様に、カード用コネクタ６０内にカードを挿入する際にも、カード用コネクタ６０内からカードを取出す際にも、カードを押込む動作を必要とする、いわゆる、プッシュインプッシュアウトタイプ、又は、プッシュ／プッシュタイプと通称されるものであるとする。そして、前記第２側壁部６１ｄには、プッシュ／プッシュの動作を行うためのカード案内機構におけるカム装置６７が取付けられている。該カム装置６７は、前記第１及び第２の実施の形態におけるカム装置１７及び４７と同様のものであるので、その説明を省略する。
【００７６】
さらに、前記第２側壁部６１ｄには、スライド部材６４を前方に向けて付勢するためのカード案内機構における付勢部材６５が取付けられている。なお、該付勢部材６５は、前記第１及び第２の実施の形態における付勢部材１５及び４５と同様のものであるので、その説明を省略する。
【００７７】
そして、前記ハウジング６１の側部と奥部、具体的には、第１側壁部６１ｃ及び奥壁部６１ｂに、カード排出動作検出スイッチとしてのディレイスイッチを形成する第１接点部材７１及び第２接点部材７２が、各々、取付けられている。本実施の形態におけるディレイスイッチは、前記第１及び第２の実施の形態におけるディレイスイッチと同様に、カードが移動することによって作動し、第１接点部材７１と第２接点部材７２とが相互に接離することによって、導通、すなわち、ＯＮ及び非導通、すなわち、ＯＦＦの状態となる。
【００７８】
ここで、前記第１接点部材７１は、第１側壁部６１ｃに取付けられた根本部７１ａ、及び、該根本部７１ａから奥壁部６１ｂに向けて延在する細長い板状のカンチレバーのような形状である本体部７１ｃを有する。なお、前記第１接点部材７１は、金属等のばね性を備えた導電性材料から成る板材に打抜き、折曲げ等の加工を施すことによって成形された部材であり、前記根本部７１ａは本体部７１ｃに対して所定の角度を形成するように曲げられている。そして、第１接点部材７１の根本部７１ａは第１側壁部６１ｃの側面とほぼ平行となり、本体部７１ｃは、カードがカード用コネクタ６０に挿入されていない状態においては、第１側壁部６１ｃの側面に対して傾斜し、内側に向けて突出するように配設されている。
【００７９】
さらに、前記根本部７１ａは、その下端にソルダーテール部７１ｂを備える。該ソルダーテール部７１ｂは、前記電子機器における配線基板等に形成された信号線、コンタクトパッド、端子等、すなわち、相手側端子部材にはんだ付けされて電気的に接続される。一方、本体部７１ｃの先端には、第１当接部７１ｄが接続されている。該第１当接部７１ｄは、その下側の面が第２接点部材７２に当接する当接面として機能する。
【００８０】
また、前記第２接点部材７２は、奥壁部６１ｂに取付けられた根本部７２ａ、及び、該根本部７２ａから横方（図１０における右方）に向けて延在する細長い板状のカンチレバーのような形状である本体部７２ｃを有する。なお、前記第２接点部材７２は、金属等のばね性を備えた導電性材料から成る板材に打抜き、折曲げ等の加工を施すことによって成形された部材である。そして、第２接点部材７２の根本部７２ａは奥壁部６１ｂの側面とほぼ平行となり、本体部７２ｃは、底壁部６１ａの上面とほぼ平行となっている。
【００８１】
さらに、前記根本部７２ａは、その下端にソルダーテール部７２ｂを備える。該ソルダーテール部７２ｂは、前記電子機器における相手側端子部材にはんだ付けされて電気的に接続される。そして、本体部７２ｃの先端には、第２当接部７２ｄが接続されている。該第２当接部７２ｄは、上側の面が第１接点部材７１に当接する当接面として機能する。
【００８２】
次に、本実施の形態におけるカード用コネクタ６０の動作について説明する。ここでは、カードをカード用コネクタ６０から排出させて取出す動作について説明する。
【００８３】
この場合、図示されないカードは、カード用コネクタ６０内において、ロック位置に保持されているものとする。なお、カードがロック位置に保持されている場合、カードのコンタクトパッドは、端子６３と接触して導通している。また、第１接点部材７１と第２接点部材７２とは、図１０において実線で示されるように、当接しておらず、ディレイスイッチはＯＦＦの状態になっている。
【００８４】
そして、利用者が手指等によってカードをプッシュして押込むと、スライド部材６４及びカードは、ロック位置から奥壁部６１ｂに向けて移動させられる。すると、カードの側面が第１接点部材７１の本体部７１ｃに当接し、該本体部７１ｃを第１側壁部６１ｃの方向に変位させる。そして、本体部７１ｃは、図１０において二点鎖線で示されるように変位し、本体部７１ｃの先端の第１当接部７１ｄが第２接点部材７２の第２当接部７２ｄに当接する。この場合、第１当接部７１ｄの下側の面が第２当接部７２ｄの上側の面に当接する。これにより、ディレイスイッチは、非導通状態から導通状態に、すなわち、ＯＦＦからＯＮに変化し、カードを排出させるプッシュ動作が開始されたことを検出する。
【００８５】
続いて、利用者がカードをプッシュして更に押込むと、スライド部材６４及びカードは、最も前進した位置である終端点に到達してフルストローク状態となる。この間、第１接点部材７１と第２接点部材７２とが当接した状態を維持するので、ディレイスイッチはＯＮの状態を維持している。
【００８６】
続いて、利用者がカードをプッシュする動作を止め、カードに対する押込力を解除すると、付勢部材６５の反発力によって、スライド部材６４及びカードは奥壁部６１ｂから離脱する向きに移動させられ、ロック位置に復帰する。この場合、カム装置６７によってスライド部材６４の動きが規制されず、前記ロック位置で停止させられないので、スライド部材６４及びカードは、前記ロック位置を通過し、カードの挿入方向と反対の方向に更に移動する。そして、カードとスライド部材６４との係合が解除され、カードは排出される。なお、終端点からロック位置に復帰するまでの途中において、第１接点部材７１は、それ自体のばね性によって元の姿勢に復元するので、第１接点部材７１と第２接点部材７２とは互いに非当接となる。そのため、ディレイスイッチはＯＮからＯＦＦに変化する。
【００８７】
このように、本実施の形態において、ディレイスイッチは、カードの移動によって変位する第１接点部材７１と第２接点部材７２とを有し、カードを排出させる際のプッシュ動作における往復の行程において、第１接点部材７１と第２接点部材７２とが当接してＯＮになるようになっている。そのため、カードを排出する際のプッシュ動作における往復の行程をディレイタイムに含むので、十分に長いディレイタイムを確保することができる。したがって、カードをカード用コネクタ６０から排出させて取出す場合、カード用コネクタ６０が取付けられた電子機器は、ディレイタイムの間に演算手段等とカードとを接続する回路を安全に遮断することができる。
【００８８】
なお、本実施の形態においては、ディレイスイッチが第１接点部材７１と第２接点部材７２とが当接することによって、カードの排出が開始されたことを検出するように構成されている場合について説明したが、前記ディレイスイッチは、第１接点部材７１と第２接点部材７２とが非当接となることによって、カードの排出が開始されたことを検出するように構成することもできる。例えば、第２接点部材７２の第２当接部７２ｄの位置を図１０における左方にずらすことによって、カードがロック位置に保持されている場合に第１接点部材７１と第２接点部材７２とが当接し、カードをプッシュして押込み、カードの側面が当接して第１接点部材７１が変位すると、第１接点部材７１と第２接点部材７２とが非当接となるようにすることができる。
【００８９】
その他の点の効果については、前記第１の実施の形態と同様であるので、説明を省略する。
【００９０】
なお、本発明は前記実施の形態に限定されるものではなく、本発明の趣旨に基づいて種々変形させることが可能であり、それらを本発明の範囲から排除するものではない。
【図面の簡単な説明】
【００９１】
【図１】本発明の第１の実施の形態におけるカード用コネクタのシェルを取除いた状態を示す平面図である。
【図２】本発明の第１の実施の形態におけるカード用コネクタを示す斜視図である。
【図３】本発明の第１の実施の形態におけるカード用コネクタのシェルを取除いた状態を示す斜視図である。
【図４】本発明の第１の実施の形態におけるカード用コネクタにカードを挿入する途中の状態を示す平面図である。
【図５】本発明の第１の実施の形態におけるカード用コネクタにカードを挿入しフルストロークとなった状態を示す平面図である。
【図６】本発明の第１の実施の形態におけるカード用コネクタにカードを挿入しロックした状態を示す平面図である。
【図７】本発明の第１の実施の形態におけるカード用コネクタにカードを排出する動作でフルストロークとなった状態を示す平面図である。
【図８】本発明の第１の実施の形態におけるカード用コネクタのディレイスイッチの信号波形を示す図である。
【図９】本発明の第２の実施の形態におけるカード用コネクタのシェルを取除いた状態を示す平面図である。
【図１０】本発明の第３の実施の形態におけるカード用コネクタのシェルを取除いた状態を示す平面図である。
【図１１】従来のカード用コネクタを示す図である。
【符号の説明】
【００９２】
１０、４０、６０    カード用コネクタ
１１、４１、６１    ハウジング
１１ａ、４１ａ、６１ａ    底壁部
１１ｂ、４１ｂ、６１ｂ    奥壁部
１１ｃ、４１ｃ、６１ｃ    第１側壁部
１１ｄ、４１ｄ、６１ｄ    第２側壁部
１１ｅ    端子装填溝
１１ｆ、１４ｃ    係止部
１２    シェル
１３、４３、６３、３０２    端子
１３ａ、２１ｂ、２２ｂ、５１ｂ、５２ｂ、７１ｂ、７２ｂ    ソルダーテール部
１４、４４、６４    スライド部材
１４ａ    第１係合部
１４ｂ    第２係合部
１５、４５、６５    付勢部材
１７、４７、６７    カム装置
２１、５１、７１    第１接点部材
２１ａ、２２ａ、５１ａ、５２ａ、７１ａ、７２ａ    根本部
２１ｃ、２２ｃ、５１ｃ、５２ｃ、７１ｃ、７２ｃ    本体部
２１ｄ、５１ｄ、７１ｄ    第１当接部
２２、５２、７２    第２接点部材
２２ｄ、５２ｄ、７２ｄ    第２当接部
３１    カード
３２    係合凸部
３３    係合凹部
３０１    絶縁性ハウジング
３０３    カムスライダ
３０４    スライド壁
３０５    コイルスプリング
３０６    可動接点部材
３０７    固定接点部材
【図１】
2006351438.tif 000003
【図２】
2006351438.tif 000004
【図３】
2006351438.tif 000005
【図４】
2006351438.tif 000006
【図５】
2006351438.tif 000007
【図６】
2006351438.tif 000008
【図７】
2006351438.tif 000009
【図８】
2006351438.tif 000010
【図９】
2006351438.tif 000011
【図１０】
2006351438.tif 000012
【図１１】
2006351438.tif 000013
【手続補正書】
【提出日】平成18年8月30日(2006.8.30)
【手続補正１】
【補正対象書類名】特許請求の範囲
【補正対象項目名】全文
【補正方法】変更
【補正の内容】
【特許請求の範囲】
【請求項１】
（ａ）端子部材を備えるカード（３１）を収容するハウジング（１１、４１、６１）と、
（ｂ）該ハウジング（１１、４１、６１）に取付けられ、前記カード（３１）の端子部材と接触する接続端子（１３、４３、６３）と、
（ｃ）前記ハウジング（１１、４１、６１）に取付けられた第１接点部材（２１、５１、７１）及び第２接点部材（２２、５２、７２）を備えるカード排出動作検出スイッチと、
（ｄ）前記カード（３１）を挿入方向と反対の方向に付勢する付勢部材（１５、４５、６５）を備え、前記カード（３１）をロック位置で保持するとともに、前記カード（３１）をロック位置から更に挿入方向に押込むプッシュ動作がなされると、前記付勢部材（１５、４５、６５）の付勢力によって、前記カード（３１）を挿入方向と反対の方向に移動させて排出するカード案内機構とを有するカード用コネクタ（１０、４０、６０）であって、
（ｅ）前記カード排出動作検出スイッチは、前記カード（３１）がロック位置にあるときに第１の状態であり、前記カード（３１）をロック位置から更に挿入方向に押込むプッシュ動作がなされると、前記カード（３１）がロック位置から挿入方向に移動する間に第２の状態に切替わって前記カード（３１）の排出が開始されたことを検出することを特徴とするカード用コネクタ（１０、４０、６０）。
【請求項２】
前記第１接点部材（２１、５１）は、ばね性を備えた導電性材料から成る板材から成形され、前記ハウジング（１１、４１）の奥部に取付けられ、前記カード（３１）の挿入方向の前面が当接することによって変位する請求項１に記載のカード用コネクタ（１０、４０）。
【請求項３】
前記第１接点部材（７１）は、ばね性を備えた導電性材料から成る板材から成形され、前記ハウジング（６１）の側部に取付けられ、前記カード（３１）の側面が当接することによって変位する請求項１に記載のカード用コネクタ（６０）。
【請求項４】
前記カード排出動作検出スイッチは、前記第１の状態において、前記第１接点部材（２１、５１、７１）が第２接点部材（２２、５２、７２）と当接又は非当接であり、前記第２の状態で第１接点部材（５１、７１）が第２接点部材（５２、７２）と非当接又は当接となることによって前記第１の状態が切替わり、前記カード（３１）の排出が開始されたことを検出する請求項１〜３のいずれか１項に記載のカード用コネクタ（１０、４０、６０）。
【手続補正２】
【補正対象書類名】明細書
【補正対象項目名】００１０
【補正方法】変更
【補正の内容】
【００１０】
そのために、本発明のカード用コネクタにおいては、端子部材を備えるカードを収容するハウジングと、該ハウジングに取付けられ、前記カードの端子部材と接触する接続端子と、前記ハウジングに取付けられた第１接点部材及び第２接点部材を備えるカード排出動作検出スイッチと、前記カードを挿入方向と反対の方向に付勢する付勢部材を備え、前記カードをロック位置で保持するとともに、前記カードをロック位置から更に挿入方向に押込むプッシュ動作がなされると、前記付勢部材の付勢力によって、前記カードを挿入方向と反対の方向に移動させて排出するカード案内機構とを有するカード用コネクタであって、前記カード排出動作検出スイッチは、前記カードがロック位置にあるときに第１の状態であり、前記カードをロック位置から更に挿入方向に押込むプッシュ動作がなされると、前記カードがロック位置から挿入方向に移動する間に第２の状態に切替わって前記カードの排出が開始されたことを検出する。
【手続補正３】
【補正対象書類名】明細書
【補正対象項目名】００１３
【補正方法】変更
【補正の内容】
【００１３】
本発明の更に他のカード用コネクタにおいては、さらに、カード排出動作検出スイッチは、前記第１の状態において、前記第１接点部材が第２接点部材と当接又は非当接であり、前記第２の状態で第１接点部材が第２接点部材と非当接又は当接となることによって前記第１の状態が切替わり、前記カードの排出が開始されたことを検出する。